(57)【要約】  細長い物品（１００）をクランプするためのクランプ装置（１０）が開示される。クランプ装置（１０）は、本体（１２）と、本体（１２）内のクランプ構成（２６）とを備える。クランプ構成（２６）は、クランプ部材（２８）と、細長い物品（１００）とクランプ係合するようにクランプ部材（２８）を付勢するための付勢部材（３０）とを備える。本体（１２）は、細長い物品（１００）が延在することができる反作用構造（５６）を有する。反作用構造（５６）は、クランプ部材（２８）によってそのように係合されたときに、細長い物品（１００）に反力を加える。クランプ装置（１０）は、クランプ部材（２８）がその上に設けられるキャリッジ（３２）と、クランプ部材（２８）を細長い物品（１００）との係合から解放するためのキャリッジ（３２）上の解放部材（４２）とをさらに含む。解放部材（４２）は、本体（１２）から外側に延在する。【選択図】図１
2021512260.tif 000002
【特許請求の範囲】
【請求項１】
細長い物品をクランプするためのクランプ装置であって、前記クランプ装置は、
前記細長い物品がそれを通して延在することができる内部空間を画定する本体と、
前記内部空間内のクランプ機構と、ここで、前記クランプ機構は、クランプ部材と、前記クランプ部材を前記細長い物品とクランプ係合するように付勢するための付勢部材とを備え、
前記本体は、前記細長い物品がそれに沿って延在することができる反作用構造を有し、前記反作用構造は、前記クランプ部材によってそのように係合されたときに前記細長い物品に反力を加えるためのものであり、
前記クランプ装置は、前記クランプ部材を前記細長い物品との係合から解放するための解放部材をさらに含み、
前記本体は、開口構成を画定し、前記開口構成は、前記クランプ機構および前記解放部材を、それを通して前記内部空間内に受容するように構成される、
を備える、クランプ装置。
【請求項２】
前記クランプ部材がその上で担持されるキャリッジを含み、前記解放部材は、前記キャリッジに取り付けられ、前記キャリッジは、前記クランプ機構がそれを通して受容されるときに前記開口構成を通して受容される、請求項１に記載のクランプ装置。
【請求項３】
前記開口構成は、前記本体によって画定される主開口領域を有し、前記主開口領域は、それを通して前記内部空間内に前記クランプ機構を受容するように構成され、前記開口構成は、前記本体によって画定されるスロット領域を有し、前記解放部材は、前記スロット領域を通して延在する、請求項１又は２に記載のクランプ装置。
【請求項４】
前記主開口領域および前記スロット領域は、前記解放部材が前記開口構成を通して受容されるときに、前記解放部材が前記スロット領域に受容されることを可能にするために互いに連通する、請求項３に記載のクランプ装置。
【請求項５】
前記開口構成は、前記細長い物品が前記内部空間に供給されるときに、前記細長い物品がそれを通って出ることができる出口開口領域を有し、前記本体は、前記細長い物品が前記内部空間に供給されるときに、前記細長い物品がそれを通って供給されることができる供給開口領域を画定し、前記出口開口領域および前記主開口領域は互いに連通し、その結果、前記主開口領域および前記出口開口領域が共に単一の開口部となる、請求項３又は４に記載のクランプ装置。
【請求項６】
前記本体は、前記クランプ機構がそれに沿って延在するガイド構造を有し、前記内部空間は、前記本体を通して前記細長い物品を受容するための第１の領域を有し、前記内部空間は、前記クランプ機構が配置される第２の領域を有する、請求項２〜５のいずれか一項に記載のクランプ装置。
【請求項７】
前記反作用構造は、前記本体の内部の第１の壁を備え、前記ガイド構造は、前記本体の内部の第２の壁を備え、前記ガイド構造は、前記反作用構造に向かって先細になる、請求項２〜６のいずれか一項に記載のクランプ装置。
【請求項８】
前記キャリッジは、前記付勢部材を保持するための第１の保持部を備え、前記第１の保持部は、前記付勢部材の第１の端部を受容するための第１の保持凹部を画定する、請求項２〜７のいずれか一項に記載のクランプ装置。
【請求項９】
前記付勢部材に係合する端部材を備え、前記端部材は、前記付勢部材が前記キャリッジを付勢することができるように、前記付勢部材に反力を提供するように構成され、前記端部材は、第１の開口部内に配置される、請求項８に記載のクランプ装置。
【請求項１０】
前記端部材は、前記第１の開口部を横切って延在する停止部を有し、前記端部材は、前記付勢部材を保持するための第２の保持部をさらに含む、請求項９に記載のクランプ装置。
【請求項１１】
前記第２の保持部は、前記付勢部材の前記端部材の一方の端部を受容するための第２の保持凹部を画定する、請求項１０に記載のクランプ装置。
【請求項１２】
前記解放部材は、前記本体の外側に構成された係合部材を備え、前記解放部材は、前記キャリッジから前記係合部材に延在する接続部分をさらに含む、請求項２〜１１のいずれか一項に記載のクランプ装置。
【請求項１３】
前記係合部材は、スロットよりも幅が広く、前記係合部材は、前記本体の周りに延在する、請求項１２に記載のクランプ装置。
【請求項１４】
前記係合部材は、対向するアームを有する実質的にＵ字形の構成を有し、前記対向するアームは、前記接続部分の両側に延在し、前記係合部材は、前記対向するアーム間の前記本体の領域を受容する、請求項１２又は１３に記載のクランプ装置。
【請求項１５】
前記スロットは、前記本体の外壁に画定され、前記係合部材は、前記外壁を横切って延在し、前記外壁は、前記反作用構造の反対側にある、請求項１２、１３、又は１４に記載のクランプ装置。
【請求項１６】
前記解放部材は、前記開口構成を通して延在し、前記解放部材は、固定位置から解放位置に移動可能であり、それによって、前記クランプ部材は、前記解放部材が前記固定位置にあるときに前記細長い物品をクランプするように構成され、それによって、前記クランプ部材は、前記解放部材が前記解放位置にあるときに解放され、前記キャリッジは、前記解放部材と共に前記固定位置と前記解放位置との間で移動可能であり、前記付勢部材は、前記キャリッジおよび前記解放部材を前記固定位置に付勢する、請求項１〜１５のいずれか一項に記載のクランプ装置。
【請求項１７】
前記付勢部材は、弾性付勢部材を備え、前記クランプ部材は、ローラを備える、請求項１〜１６のいずれか一項に記載のクランプ装置。
【請求項１８】
前記キャリッジは、前記クランプ部材を受容するためのソケット部分を備え、前記ソケット部分は、前記クランプ部材が受容されるキャビティを画定し、
前記ソケット部分は、前記キャビティと前記キャビティの外部の領域との間の連通を提供するための対向する開口部を画定し、前記クランプ部材は、前記細長い物品および前記ガイド構造に係合するように、前記対向する開口部を通して延在する、
請求項１〜１７のいずれか一項に記載のクランプ装置。
【請求項１９】
前記ソケット部分は、前記クランプ部材を前記キャビティ内に保持するための保持構造を備え、前記保持構造は、前記クランプ部材の側部で前記クランプ部材と係合し、前記クランプ部材は、前記本体と係合するように前記ソケット部分から延在する、請求項１８に記載のクランプ装置。
【請求項２０】
請求項１に記載のクランプ装置を組み立てる方法であって、前記方法は、前記解放部材が開口構成を通して延在するように、前記開口構成を通って前記本体に前記クランプ機構を挿入することを備える、方法。
【請求項２１】
前記開口構成は、主開口領域と細長いスロット領域とを含み、前記方法は、前記クランプ機構が前記主開口領域を通して受容されるときに、前記解放部材を前記細長いスロット領域に配置することを含む、請求項２０に記載の方法。
【請求項２２】
前記クランプ装置は、前記クランプ部材がその上で担持されるキャリッジを含み、前記方法は、前記キャリッジ上に前記クランプ部材を構成し、その後、前記キャリッジを前記本体に挿入することを備える、請求項２０又は２１に記載の方法。
【請求項２３】
前記キャリッジが前記付勢部材を保持するように、前記付勢部材を前記キャリッジに接触させて構成することを備える、請求項２２に記載の方法。
【請求項２４】
前記クランプ装置はキャップ部材を含み、前記方法は、前記キャップ部材を前記開口構成中に構成し、前記キャップ部材が前記付勢部材を保持するように、前記付勢部材を前記キャップ部材と接触させて構成することを備える、請求項２３に記載の方法。
【請求項２５】
細長い物品をクランプするためのクランプ装置であって、前記クランプ装置は、
本体と、
前記本体内のクランプ機構と、ここで、前記クランプ機構は、クランプ部材と、前記クランプ部材を前記細長い物品とクランプ係合するように付勢するための付勢部材とを備え、
前記本体は、前記細長い物品がそれに沿って延在することができる反作用構造を有し、前記反作用構造は、前記クランプ部材によってそのように係合されたときに前記細長い物品に反力を加えるためのものであり、
前記クランプ部材がその上で担持されるキャリッジと、
前記細長い物品との係合から前記クランプ部材を解放するための前記クランプ部材上の解放部材と、ここで、前記解放部材は、前記本体から外向きに延在する、
を備える、クランプ装置。
【発明の詳細な説明】
【技術分野】
【０００１】
本発明は、クランプ装置に関する。より詳細には、本発明は、ケーブル、ワイヤロープなどの、細長い物品と共に使用するためのクランプ装置に関するが、これに限定されない。
【背景技術】
【０００２】
ケーブル又はワイヤロープの形態の、細長い物品を固定するためのクランプ装置が知られている。このようなクランプ装置の一例が英国特許第２２１０５１７号に開示されている。装置が細長い物品をクランプするとき、それを解放することは困難であり得る。細長い物品を解放する機構を有するクランプ装置を製造する試みがなされてきた。英国特許第２４７１７７３号は、このような解放機構を有するクランプ装置を開示している。英国特許第２４７１７７３号に開示されたクランプ装置では、解放部材は、クランプ部材が解放する装置の対向する端部に設けられる。これは、装置の本体が、解放部材の移動を妨げる、又はそれに損傷を与える可能性がある内部障害物を有するという問題を有している。
【発明の概要】
【０００３】
本発明の第１の態様によれば、細長い物品をクランプするためのクランプ装置が提供され、クランプ装置は、
細長い物品がそれを通して延在することができる内部空間を画定する本体と、
内部空間内のクランプ機構と、を備え、ここで、クランプ機構は、クランプ部材と、クランプ部材を細長い物品とクランプ係合するように付勢するための付勢部材とを備え、
本体は、細長い物品がそれに沿って延在することができる反作用構造を有し、反作用構造は、クランプ部材によってそのように係合されたときに細長い物品に反力を加えるためのものであり、
クランプ装置は、クランプ部材を細長い物品との係合から解放するための解放部材をさらに含み、
本体は、開口構成を画定し、開口構成は、クランプ機構および解放部材を、それを通して内部空間内に受容するように構成される。
【０００４】
したがって、開口構成は、クランプ装置の組み立て時に、クランプ機構及び解放部材を内部空間にアクセスさせる。
【０００５】
端部の一方に開口構成を設けることは、本明細書に記載の実施形態において、解放部材及びクランプ機構が本体の同じ開口部から本体に組み付けることができるという利点を提供する。これは、英国特許第２４７１７７３号に開示された装置のような従来技術に関連する問題を克服する。
【０００６】
クランプ装置は、クランプ部材がその上で担持されるキャリッジを含み得る。解放部材は、キャリッジに取り付けられてもよい。解放部材は、開口構成を通して延在してもよい。解放部材およびキャリッジは、単一の構成要素であってもよい。キャリッジは、クランプ機構がそれを通して受容されるときに開口構成を通して受容されてもよい。
【０００７】
開口構成は、本体によって画定される主開口領域を有することができ、主開口領域は、それを通して内部空間内にクランプ機構を受容するように構成される。
【０００８】
開口構成は、本体によって画定されるスロット領域を有してもよい。解放部材は、スロット領域を通して延在してもよい。解放部材は、ユーザによる解放部材の操作を可能にするように、スロット領域に沿って移動可能であってもよい。
【０００９】
主開口領域およびスロット領域は、解放部材が開口構成を通して受容されるときに、解放部材がスロット領域に受容されることを可能にするために互いに連通し得る。
【００１０】
開口構成は、細長い物品が内部空間に供給されるときに、細長い物品がそれを通って出ることができる出口開口領域を有し得る。出口開口領域と主開口領域とは互いに連通してもよく、その結果、主開口領域と出口開口領域とは共に単一の開口部であってもよい。
【００１１】
本体は、細長い物品が内部空間に供給されるときに、細長い物品がそれを通って供給されることができる供給開口領域を画定し得る。供給開口領域は、出口開口領域の反対側にあってもよい。本体は両端を有してもよい。出口開口領域および主開口領域は、それぞれ、対向する端部のそれぞれ１つに画定されてもよい。本体は、対向する端部から延在する対向する側部を有してもよい。スロット領域は、側部のうちの１つに沿って延在してもよい。
【００１２】
本発明の第２の態様によれば、細長い物品をクランプするためのクランプ装置が提供され、クランプ装置は、
両端を有する本体と、ここで本体は、細長い物品がそれを通して延在することができる内部空間を画定し、
内部空間内のクランプ機構と、ここで、クランプ機構は、クランプ部材と、クランプ部材を細長い物品とクランプ係合するように付勢するための付勢部材とを備え、
本体は、細長い物品がそれに沿って延在することができる反作用構造を有し、反作用構造は、クランプ部材によってそのように係合されたときに細長い物品に反力を加えるためのものであり、
クランプ部材がその上で担持されるキャリッジと、
クランプ部材を細長い物品との係合から解放するための解放部材と、
を備え、本体は、クランプ機構および解放部材を、それを通して内部空間内に受容するように構成された開口構成を画定し、開口構成は、ユーザによる解放部材の操作を可能にするために解放部材がそれに沿って移動することができる細長いスロット領域を含む。
【００１３】
したがって、開口構成は、クランプ装置の組み立て時に、クランプ機構及び解放部材を内部空間にアクセスさせる。
【００１４】
解放部材は、キャリッジに取り付けられ得る。解放部材およびキャリッジは、単一の構成要素であってもよい。キャリッジは、クランプ機構がそれを通して受容されるときに開口構成を通して受容されてもよい。
【００１５】
開口構成は、本体によって画定される主開口領域を有してもよく、主開口領域は、それを通して内部空間内にクランプ機構を受容するように構成される。
【００１６】
主開口領域及びスロット領域は、解放部材が開口構成を通して受容されるときに、解放部材がスロット領域に受容されることを可能にするために互いに連通し得る。
【００１７】
開口構成は、細長い物品が内部空間に供給されるときに、細長い物品がそれを通って出ることができる出口開口領域を有し得る。出口開口領域と主開口領域とは互いに連通してもよく、その結果、主開口領域と出口開口領域とは共に単一の開口部であってもよい。
【００１８】
本体は、細長い物品が内部空間に供給されるときに、細長い物品がそれを通って供給されることができる供給開口領域を画定し得る。供給開口領域は、出口開口領域の反対側にあってもよい。出口開口領域および主開口領域は、各々、対向する端部のそれぞれ１つに画定されてもよい。
【００１９】
本体は、対向する端部から延在する対向する側部を有してもよい。スロット領域は、側部のうちの１つに沿って延在してもよい。
【００２０】
本発明の第３の態様によれば、細長い物品をクランプするためのクランプ装置が提供され、クランプ装置は、
本体と、
本体内のクランプ機構と、ここで、クランプ機構は、クランプ部材と、クランプ部材を細長い物品とクランプ係合するように付勢するための付勢部材とを備え、
本体は、細長い物品がそれに沿って延在することができる反作用構造を有し、反作用構造は、クランプ部材によってそのように係合されたときに細長い物品に反力を加えるためのものであり、
クランプ部材がその上で担持されるキャリッジと、
細長い物品との係合からクランプ部材を解放するための解放部材と、
を備え、ここで、解放部材は、本体から外向きに延在する。
【００２１】
本体は、内部空間を画定し得る。本体は、クランプ機構および解放部材を、それを通して内部空間内に受容するように構成された開口構成を画定し得る。
【００２２】
解放部材は、キャリッジに取り付けられ得る。解放部材およびキャリッジは、単一の構成要素であり得る。キャリッジは、クランプ機構がそれを通して受容されるときに開口構成を通して受容され得る。
【００２３】
開口構成は、本体によって画定される主開口領域を有してもよく、主開口領域は、それを通して内部空間内にクランプ機構を受容するように構成される。
【００２４】
開口構成は、本体によって画定されるスロット領域を有してもよい。解放部材は、スロット領域を通して延在してもよい。解放部材は、ユーザによる解放部材の操作を可能にするように、スロット領域に沿って移動可能であってもよい。
【００２５】
主開口領域及びスロット領域は、解放部材が開口構成を通して受容されるときに、解放部材がスロット領域に受容されることを可能にするために互いに連通し得る。
【００２６】
開口構成は、細長い物品が内部空間に供給されるときに、細長い物品がそれを通って出ることができる出口開口領域を有し得る。出口開口領域と主開口領域とは互いに連通してもよく、その結果、主開口領域と出口開口領域とは共に単一の開口部であってもよい。
【００２７】
本体は、細長い物品が内部空間に供給されるときに、細長い物品がそれを通って供給されることができる供給開口領域を画定することができる。供給開口領域は、出口開口領域の反対側にあってもよい。本体は両端を有してもよい。出口開口領域および主開口領域は、各々、対向する端部のそれぞれ１つに画定されてもよい。本体は、対向する端部から延在する対向する側部を有してもよい。スロット領域は、側部のうちの１つに沿って延在してもよい。
【００２８】
本発明の第４の態様によれば、細長い物品をクランプするためのクランプ装置が提供され、クランプ装置は、
細長い物品がそれを通して延在することができる内部空間を画定する本体と、
内部空間内のクランプ機構と、ここで、クランプ機構は、クランプ部材と、クランプ部材を細長い物品とクランプ係合するように付勢するための付勢部材とを備え、
本体は、細長い物品がそれに沿って延在することができる反作用構造を有し、反作用構造は、クランプ部材によってそのように係合されたときに細長い物品に反力を加えるためのものであり、
細長い物品との係合からクランプ部材を解放するための解放部材と、
を備え、本体は、開口構成を画定し、開口構成は、クランプ機構および解放部材を、それを通して内部空間内に受容するように構成され、
開口構成は、スロット領域及び主開口領域を有し、スロット領域は、スロット領域と主開口領域との間の連通を提供する開口端を有し、解放部材は、スロット領域を通って本体から外向きに延在する。
【００２９】
クランプ装置は、クランプ部材がその上で担持されるキャリッジを含み得る。解放部材は、キャリッジに取り付けられてもよい。解放部材およびキャリッジは、単一の構成要素であってもよい。キャリッジは、クランプ機構がそれを通して受容されるときに開口構成を通して受容されてもよい。
【００３０】
本明細書に記載の実施形態では、キャリッジは、クランプ部材に解放力を加える効果的な手段であるという利点を提供し、それによって、従来技術のクランプ装置と比較して、強化された解放を提供する。
【００３１】
解放部材は、ユーザによる解放部材の操作を可能にするように、スロット領域に沿って移動可能であってもよい。
【００３２】
主開口領域及びスロット領域は、解放部材が開口構成を通して受容されるときに、解放部材がスロット領域に受容されることを可能にするために互いに連通し得る。
【００３３】
開口構成は、細長い物品が内部空間に供給されるときに、細長い物品がそれを通って出ることができる出口開口領域を有し得る。出口開口領域と主開口領域とは互いに連通してもよく、その結果、主開口領域と出口開口領域とは共に単一の開口部であってもよい。
【００３４】
本体は、細長い物品が内部空間に供給されるときに、細長い物品がそれを通って供給されることができる供給開口領域を画定することができる。供給開口領域は、出口開口領域の反対側にあってもよい。本体は両端を有してもよい。出口開口領域および主開口領域は、各々、対向する端部のそれぞれ１つに画定されてもよい。本体は、対向する端部から延在する対向する側部を有してもよい。スロット領域は、側部のうちの１つに沿って延在してもよい。
【００３５】
本発明の第５の態様によれば、上述した本発明の第１〜第４の態様の各々に記載されたクランプ装置を組み立てる方法が提供され、方法は、解放部材は、開口構成を通して延在するように、開口部を通って本体にクランプ機構および解放部材を挿入することを備える。
【００３６】
主開口領域は、細長いスロット領域を含んでもよく、方法は、クランプ機構及び解放部材が主開口領域を通して受容されるときに、解放部材を細長いスロット領域内に配置することを含んでもよい。
【００３７】
細長いスロット領域は、本体の側部に沿って延在してもよい。側部は、本体の縁部であってもよい。
【００３８】
クランプ装置は、クランプ部材がその上で担持されるキャリッジを含み得る。この方法は、キャリッジ上にクランプ部材を構成し、その後、キャリッジを本体に挿入することを備え得る。
【００３９】
解放部材は、固定位置から非固定位置に移動可能であり得る。クランプ部材は、解放部材が非固定位置にあるときに解放されてもよい。
【００４０】
クランプ部材は、解放部材が固定位置にあるときに細長い物品をクランプするように構成され得る。キャリッジは、解放部材と共に固定位置と非固定位置との間で移動可能であってもよい。付勢部材は、キャリッジおよび解放部材を固定位置に付勢してもよい。
【００４１】
付勢部材は、弾性付勢部材であってもよい。付勢部材は、圧縮ばねなどのばねであってもよい。クランプ部材はローラを備えてもよい。ローラの形態のクランプ部材の場合、クランプ部材は、従来技術のクランプ装置よりも容易に解放することができる。ローラの使用は、より細いワイヤに十分な負荷性能を提供する。あるいは、クランプ部材は、任意の他の適切な形状、例えばウェッジであってもよい。
【００４２】
本体は、クランプ機構がそれに沿って延在するガイド構造を有してもよい。内部空間は、本体を通して細長い物品を受容するための第１の領域を有してもよい。内部空間は、クランプ機構が配置される第２の領域を有してもよい。
【００４３】
クランプ部材は、反作用構造とガイド構造との間で細長い物品をクランプし得る。反作用構造は、本体の内部の第１の壁を備えてもよい。ガイド構造は、本体の第２の壁を備えてもよい。ガイド構造は、反作用構造に向かって先細になっていてもよい。
【００４４】
クランプ部材は、キャリッジによって受容されてもよい。キャリッジは、クランプ部材を受容するためのソケット部分を備えてもよい。ソケット部分は、クランプ部材が受容されるキャビティを画定してもよい。ソケット部分は、キャビティとキャビティの外部の領域との間の連通を提供するための対向する開口部を画定してもよい。
【００４５】
ソケット部分は、クランプ部材をキャビティ内に保持するための保持構造を設け得る。保持構造は、ソケット部分からキャビティ内に延在する内向きに延在するタブを備え得る。
【００４６】
保持構造は、クランプ部材の側部でクランプ部材と係合し得る。ソケット部分は、クランプ部材の両側に係合するように構成された一対の対向する保持構造を備え得る。
【００４７】
クランプ部材は、本体と係合するようにソケット部分から延在し得る。クランプ部材は、ガイド構造と係合し得る。クランプ部材は、対向する開口部を通して延在し得る。
【００４８】
一実施形態では、クランプ部材は、キャリッジから分離されてもよい。あるいは、クランプ部材はキャリッジと一体であってもよい。
【００４９】
付勢部材は、キャリッジとは別個であってもよい。キャリッジは、付勢部材を保持してもよい。本方法は、キャリッジが付勢部材を保持するように、付勢部材をキャリッジに接触させて構成することを含み得る。
【００５０】
キャリッジは、付勢部材を保持するための第１の保持部を備え得る。第１の保持部は、付勢部材の第１の端部を受容するための第１の保持凹部を画定し得る。付勢部材は、キャリッジから延在していてもよい。方法は、付勢部材を第１の保持部に配置することを備え得る。本方法は、付勢部材を第１の保持凹部内に配置することを備え得る。
【００５１】
解放部材は、キャリッジに取り付けられ得る。解放部材は、キャリッジと一体であってもよい。解放部材は、第１保持部に取り付けられてもよい。
【００５２】
クランプ装置は、付勢部材に係合するためのキャップ部材を備えてもよい。キャップ部材は、主開口領域に配置され得る。キャップ部材は、付勢部材がキャリッジを付勢することができるように、付勢部材に反力を提供し得る。
【００５３】
キャップ部材は、主開口領域を横切って延在する停止部分を有し得る。キャップ部材は、付勢部材を保持するための第２の保持部を含み得る。第２の保持部は、停止部分に取り付けられ得る。第２の保持部は、付勢部材の前記端部材の一方の端部を受容するための第２の保持凹部を画定し得る。本方法は、キャップ部分を開口構成に、好ましくは主開口領域内に構成することを備え得る。本方法は、開口構成の端部領域、望ましくは主開口領域にキャップ部分を構成することを備え得る。
【００５４】
本方法は、キャップ部材が付勢部材を保持するように、付勢部材をキャップ部材と接触させて構成することを備え得る。方法は、付勢部材を第２の保持部に配置することを備え得る。本方法は、付勢部材を第２の保持凹部内に配置することを備え得る。
【００５５】
解放部材は、本体の外側に構成された係合部材を備えてもよく、係合部材は、解放部材を固定位置から非固定位置に移動させるためにユーザによって係合可能である。解放部材は、キャリッジから係合部材に延在する接続部分をさらに含み得る。接続領域は、クランプ機構が開口構成を通って、望ましくは主開口領域を通して受容されるときに、スロット領域に受容されてもよい。
【００５６】
係合部材は、スロット領域よりも広くてもよい。係合部材は、本体の周囲に延在してもよい。係合部材は、対向するアームを有する実質的にＵ字形の構成を有してもよい。対向するアームは、接続部分の両側に延在してもよい。係合部材は、対向するアーム間の本体の領域を受容し得る。
【００５７】
スロット領域は、本体の外壁に画定され得る。係合部材は、該外壁を横切って延在し得る。係合部材は、本体から突出して延在する隆起部分を備え得る。
【００５８】
外壁は、反作用構造の反対側にあってもよい。外壁は、ガイド構造を備えてもよい。外壁は、内面及び外面を有することができる。スロット領域は、内部空間とクランプ装置の外部の領域との間の連通を提供する外壁を通して延在してもよい。スロット領域は、開口端を有してもよい。開口端は、各スロット領域とそれぞれの端部領域との間の連通を提供してもよい。
【００５９】
クランプ装置は、本体内に２つの該クランプ機構を備えてもよい。該クランプ機構の各々は、それぞれのクランプ部材と、クランプ部材をそれぞれの細長い物品とクランプ係合するように付勢するためのそれぞれの付勢部材とを備えてもよい。それぞれの細長い物品は、２つの別個の細長い物品であっても、単一の細長い物品の２つのパスであってもよい。
【００６０】
本体は、２つの内部空間を画定し得る。本体は、２つの該出口及び供給開口領域を画定してもよく、出口及び供給開口領域は、各細長い物品がそれぞれの内部空間に受容されることを可能にする。
【００６１】
本体は、２つの該スロット領域を画定し得る。各スロット領域は、開口端を有し得る。各開口端は、スロット領域とそれぞれの主開口領域との間の連通を提供し得る。各解放部材は、それぞれのスロット領域を通って本体から外向きに延在してもよい。
【００６２】
本体は、それぞれの細長い物品に反力を提供するために単一の反作用構造を有し得る。
【００６３】
クランプ装置は、２つのキャリッジを備えてもよく、その各々にクランプ部材のそれぞれ１つが設けられてもよい。クランプ装置は、それぞれのクランプ部材をそれぞれの細長い物品との係合から解放するための２つの解放部材を備え得る。各解放部材は、本体から外向きに延在してもよい。
【００６４】
各解放部材は、固定位置から非固定位置に移動可能であり得る。各クランプ部材は、それぞれの解放部材が非固定位置にあるときに解放され得る。
【００６５】
各クランプ部材は、解放部材が固定位置にあるときにそれぞれの細長い物品をクランプするように構成され得る。
【００６６】
各キャリッジは、解放部材と共に固定位置と非固定位置との間で移動可能であり得る。各付勢部材は、固定位置にそれぞれのキャリッジおよび解放部材を付勢することができる。
【００６７】
各付勢部材は、弾性付勢部材であってもよい。各付勢部材は、圧縮ばねなどのばねであってもよい。
【００６８】
本体は、それぞれのクランプ機構がそれに沿って延在する２つのガイド構造を有してもよい。各内部空間は、本体を通して細長い物品を受容するためのそれぞれの第１の領域を有してもよい。各内部空間は、それぞれのクランプ機構が配置されるそれぞれの第２の領域を有してもよい。
【００６９】
各クランプ部材は、反作用構造とそれぞれのガイド構造との間でそれぞれの細長い物品をクランプし得る。各ガイド構造は、本体のそれぞれの第２の壁を備えてもよい。各ガイド構造は、反作用構造に向かって先細になっていてもよい。
【００７０】
各キャリッジは、それぞれのクランプ部材を受容し得る。各キャリッジは、クランプ部材を受容するためのソケット部分を備え得る。各ソケット部分は、それぞれのクランプ部材が受容されるキャビティを画定することができる。
【００７１】
各ソケット部分は、それぞれのキャビティとキャビティの外部の領域との間の連通を提供するために、対向する開口部を画定し得る。
【００７２】
各ソケット部分には、それぞれのクランプ部材をキャビティ内に保持するための保持構造を設けることができる。各保持構造は、ソケット部分からキャビティ内に延在する内向きに延在するタブを備え得る。
【００７３】
各保持構造は、クランプ部材の側部でそれぞれのクランプ部材に係合し得る。各ソケット部分は、それぞれのクランプ部材の両側に係合するように構成された一対の対向する保持構造を備え得る。
【００７４】
各クランプ部材は、本体に係合するように、それぞれのソケット部分から延在し得る。各クランプ部材は、それぞれのガイド構造に係合し得る。各クランプ部材は、それぞれのソケット部分の対向する開口部を通して延在し得る。
【００７５】
各付勢部材は、それぞれのキャリッジから分離し得る。各キャリッジは、それぞれの付勢部材を保持し得る。各キャリッジは、それぞれの付勢部材を保持するためのそれぞれの第１の保持部を備え得る。各第１の保持部は、それぞれの付勢部材の端部を受容するための第１の保持凹部を画定し得る。各付勢部材は、それぞれのキャリッジから延在し得る。
【００７６】
各解放部材は、それぞれのキャリッジに取り付けられ得る。各解放部材は、それぞれのキャリッジと一体であり得る。各解放部材は、それぞれの保持部に取り付けられ得る。
【００７７】
クランプ装置は、２つの端部材を備えてもよく、各端部材は、付勢部材のそれぞれ１つと係合するように構成される。各端部材は、それぞれの開口構成に、望ましくはそれぞれの主開口領域に配置され得る。各端部材は、各部材がそれぞれのキャリッジを付勢することができるように、それぞれの付勢部材に反力を提供し得る。
【００７８】
各端部材は、それぞれの開口構成を横切って、望ましくはそれぞれの主開口領域を横切って延在する停止部分を有し得る。各端部材は、付勢部材を保持するための第２の保持部を含み得る。各端部材の第２の保持部は、停止部分に取り付けられ得る。
【００７９】
各解放部材は、本体の外側に構成されたそれぞれの係合部材を備え得る。各解放部材は、それぞれのキャリッジからそれぞれの係合部材まで延在するそれぞれの接続部分をさらに含み得る。
【００８０】
各係合部材は、それぞれのスロット領域よりも広くてもよい。各係合部材は、本体の周囲に延在してもよい。各係合部材は、対向するアームを有する実質的にＵ字形の構成を有してもよい。
【００８１】
各係合部材の対向するアームは、それぞれの接続部分の両側に延在し得る。各係合部材は、対向するアーム間の本体の領域を受容し得る。
【００８２】
各スロット領域は、本体のそれぞれの外壁に画定され得る。各係合部材は、該外壁を横切って延在し得る。各係合部材は、本体から突出して延在するそれぞれの隆起部分を備え得る。
【００８３】
本体は、反作用構造の反対側に２つの外壁を有し得る。各外壁は、ガイド構造のそれぞれ１つを備え得る。各外壁は、内面及び外面を有し得る。各スロット領域は、内部空間とクランプ装置の外部の領域との間の連通を提供するために、それぞれの外壁を通して延在し得る。各スロット領域の開口端は、各スロット領域とそれぞれの端部領域との間の連通を提供し得る。
【００８４】
次に、本発明の実施形態を、添付の図面を参照して、単なる例として説明する。
【図面の簡単な説明】
【００８５】
【図１】図１は、クランプ装置の斜視図である。
【図２】図２は、クランプ装置の側面図である。
【図３】図３は、クランプ装置の分解側面図である。
【図４】図４は、クランプ装置の正面図である。
【図５】図５は、クランプ位置にあるクランプ部材を示すクランプ装置の断面図である。
【図６】図６は、解放位置にあるクランプ部材を示すクランプ装置の断面図である。
【図７】図７は、図５の線ＶＩＩ−ＶＩＩに沿ったクランプ装置の横断面図である。
【図８】図８は、クランプ装置の本体の斜視図である。
【図９】図９は、図８に示す本体の側断面図である。
【発明の詳細な説明】
【００８６】
図は、ケーブル、ワイヤ、ワイヤロープなどの形態の細長い物品１００をクランプするためのクランプ装置１０を示す。クランプ装置１０は、１つ又は複数の細長い物品１００がそれを通して延在することができる２つの内部空間１４を画定する本体１２を備える。
【００８７】
図８及び図９を参照すると、クランプ装置１０の本体１２は、２つの開口構成５７を画定し、その各々は、本体１２のそれぞれの第１及び第２の対向する端面２０に対向する出口開口領域１６及び供給開口領域１８を含む。出口開口領域１６及び供給開口領域１８は、内部空間１４との連通を提供する。開口構成５７は、各端面２０にそれぞれの主開口領域５９をさらに含む。
【００８８】
内部空間１４は、細長い物品１００のためのチャネル２４を有する。チャネル２４は、出口開口領域１６と供給開口領域１８との間に延在し、出口開口領域１６及び供給開口領域１８の各々は、端面２０のそれぞれ１つに画定される。
【００８９】
出口開口領域１６及び供給開口領域１８は、内部空間１４とクランプ装置１０の外部の領域との間の連通を提供する。出口開口領域１６及び供給開口領域１８は、細長い物品１００がチャネル２４内に受容されることを可能にする。細長い物品を図６に破線で示す。
【００９０】
クランプ装置１０は、クランプ部材２８及び付勢部材３０を備えるクランプ機構２６を更に含む。図示の実施形態では、クランプ部材２８はローラの形態であるが、任意の他の適切な形状、例えばウェッジであってもよい。付勢部材３０は、圧縮ばねの形状のものである。
【００９１】
クランプ機構２６は、クランプ部材２８を担持するキャリッジ３２をさらに含む。キャリッジ３２は、クランプ部材２８を保持するためのソケット部分３４を備える。ローラの形態のクランプ部材２８の使用は、より細いワイヤに対して十分な荷重性能の利点を提供する。
【００９２】
キャリッジ３２は、特にクランプ部材２８がローラである場合に、従来技術のクランプ装置よりも容易にクランプ部材３２を解放することを可能にする。付勢部材３０は、以下でより詳細に説明するように、クランプ部材２８に付勢力を加えるための圧縮ばねの形態である。
【００９３】
ソケット部分３４は、クランプ部材２８が保持されるキャビティ３６を画定する。ソケット部分３４は、キャビティ３６とキャビティ３６の外部の領域との間の連通を提供するために、対向する開口部３８、４０をさらに画定する。
【００９４】
クランプ機構２６は、キャリッジ３２上に解放部材４２をさらに含む。解放部材４２は、キャリッジ３２から本体１２を通ってその外部の領域まで延在する。図示の実施形態では、解放部材４２はキャリッジ３２と一体である。キャリッジ３２はクランプ部材２８に解放力を加えるための効果的な手段を提供する。
【００９５】
キャリッジ３２は、付勢部材３０の端部を保持するための第１の保持凹部４６を画定する第１の保持部４４を備える。本体１２の各主開口領域５９の領域にわたって端部材４８が設けられている。
【００９６】
付勢部材３０は、端部材４８が付勢部材３０に反力を与えるように、キャリッジ３２と端部材４８との間に延在する。これにより、各付勢部材３０は、それぞれ、キャリッジ３２及びクランプ部材２８を図５及び図６の矢印Ａで示される方向に付勢する。
【００９７】
各端部材４８は、主開口領域５９を横切って延在するキャップ部材５０を備える。各端部材４８はさらに、付勢部材３０の端部を保持するための第２の保持部５２を含む。
【００９８】
第２の保持部５２は、キャップ部材５０に取り付けられる。第２の保持部５２は、付勢部材３０の対向する端部を受容する第２の保持凹部５４を画定する。
【００９９】
本体１２は、細長い物品１００がクランプ部材２８によってクランプされるときに細長い物品１００に反力を与えるための反作用構造５６を含む。反作用構造５６は、本体１２の中心を横切って延在する本体１２の内壁の形態である。
【０１００】
本体１２はまた、反作用構造５６の反対側の本体１２の外壁の形態のガイド構造５８を含む。ガイド構造５８および反作用構造５６は、互いに向かって先細になる。ガイド構造５８は、本体１２の側部に沿って設けられている。図示の実施形態では、ガイド構造は、本体１２の縁部である。
【０１０１】
ガイド構造５８は、キャリッジ３２が付勢部材３０によって反作用構造５６に向かって付勢されるときに、クランプ部材２８を反作用構造５６に向かってガイドする。細長い物品１００は、ガイド構造５８と反作用構造５６との間の狭くなる隙間においてクランプ部材２８によってクランプされる。
【０１０２】
本体１２によって画定される各開口構成５７は、それぞれのガイド構造５８内に画定されるスロット領域６０をさらに含む。解放部材４２は、スロット領域６０を通して延在する。
【０１０３】
開口構成５７の主開口領域５９は、それぞれの出口開口領域１６と連通し、それによって単一の端部開口６３を形成する。代替的に、セパレータは、開口構成５７の主開口領域５９と出口開口領域１６との間に延在してもよく、それによって、端面２０に２つの別個の開口部を形成する。各端部材４８は、それぞれの開口構成５７の主開口領域５９で受容される。
【０１０４】
ガイド構造５８は、対向する外面６２及び内面６４を有する（図９参照）。スロット領域６０は、内部空間１４とクランプ装置１０の外部の領域との間の連通を可能にする。
【０１０５】
スロット領域６０はまた、スロット領域６０と主領域開口部５７との間の連通を提供するために、本体１２内の主開口領域５９に隣接する開口端７０を有する。開口端７０は、外面６２から内面６４までスロット領域６０を横切って延在する。
【０１０６】
解放部材４２及びキャリッジ３２は、図５に示す固定位置と図６に示す非固定位置との間で、ユーザによってスロット領域６０に沿って移動可能である。非固定位置と固定位置との間の解放部材４２の移動は、図５に示す解放位置と図６に示すクランプ位置との間でクランプ部材２８を移動させる。
【０１０７】
クランプ位置へのクランプ部材２８の移動は、クランプ部材２８を細長い物品１００とクランプ係合するように移動させる。これにより、クランプ部材２８は、反作用構造５６とガイド構造５８との間の狭くなる隙間に細長い物品１００をクランプする。
【０１０８】
解放部材４２が非固定位置に移動されると、クランプ部材２８は、ガイド構造５８に沿ってクランプ位置から離れて解放位置に移動され、それによって細長い物品１００から解放される。これにより、クランプ装置１０を細長い物品１００に沿って移動させることができる。
【０１０９】
クランプ部材２８がクランプ位置にあるとき、解放部材４２は固定位置にある。クランプ部材２８が解放位置にあるとき、解放部材は非固定位置にある。
【０１１０】
解放部材４２の固定位置において、解放部材４２は、細長い物品１００とクランプ係合しているクランプ部材２８によって本体１２に対して固定される。
【０１１１】
解放部材４２は、実質的にＵ字形係合部材７２及び接続部分材７４を備える。Ｕ字形係合部材７２は、本体１２の周りで接続部分材７４の両側に延在する２つのアーム７６を備え、その結果、本体１２の領域がアーム７６の間で受容される。
【０１１２】
接続部分材７４は、係合部材７２をキャリッジ３２に接続する。係合部材７２は、図５および図６の矢印Ｂの方向にスロット領域６０に沿って解放部材４２を移動させるようにユーザによって係合され、それによってキャリッジ３２およびクランプ部材２８を解放位置へと同じ方向に移動させる。
【０１１３】
使用時にユーザは、図６の矢印Ｃで示すように、細長い物品１００を、供給開口領域１８を介して本体１２に挿入する。細長い物品１００は、クランプ部材２８に係合し、付勢部材３０の付勢力に対抗してクランプ部材２８をクランプ部材２８及びキャリッジ３２の解放位置に向かって押す。これは、細長い物品１００が本体１２を通って出口開口領域１６から押し出されることを可能にし、その結果、細長い物品１００は、出口開口領域１６及び供給開口領域１８の両方から本体１２の外に延在する。
【０１１４】
次に、クランプ装置１０が細長い物品１００に沿った所望の位置に構成されるまで、細長い物品１００は、本体１２に通される。次いで、細長い物品１００は、図６の矢印Ｄによって示される、本体１２を通して反対方向に細長い物品１００を引っ張ることによって、クランプ装置１０に固定されることができる。
【０１１５】
クランプ部材２８及びキャリッジ３２は、細長い物品１００によって図５及び図６の矢印Ａの方向に引っ張られる。したがって、クランプ部材２８は、先細になる反作用構造５６とガイド構造５８との間の減少する隙間に引き込まれ、それによって細長い物品１００をクランプする。
【０１１６】
細長い部材に沿ってクランプ装置１０の位置を調整することが望まれる場合、ユーザは、例えば自分の親指で解放部材４２の係合部分に係合させ、次いで、図５及び図６の矢印Ｂによって示される方向にスロット領域６０に沿って解放部材４２を押すことができる。これは、キャリッジ３２およびクランプ部材２８を解放位置に移動させ、それによって、クランプ装置１０が細長い物品１００に沿って別の位置に移動することを可能にする。
【０１１７】
クランプ装置１０が所望の位置にあるとき、細長い物品１００が図６の矢印Ｄの方向に引っ張られ、それにより、細長い物品１００を再びクランプするために、クランプ部材２８を反作用構造５６とガイド構造５８との間の狭くなる隙間内に引っ張ることができる。
【０１１８】
図は、クランプ装置１０が、本体１２の対向する半分の部分において２つの細長い物品１００をクランプすることができることを示している。したがって、本体１２は、反作用構造５６を除いて、特定の説明の上記の節で論じた特徴の２つのセットを収容する。
【０１１９】
本体１２の２つの部分を分離する単一の反作用構造５６が設けられ、単一の反作用構造５６は、本体１２の各部分のための反作用構造５６を構成する。
【０１２０】
クランプ装置１０の組み立ては、以下のように実行される。クランプ部材２８は、それぞれのキャリッジ３２のソケット部分３４に配置されている。付勢部材３０は、それぞれのキャリッジ３２の第１の保持凹部４６で受容される。
【０１２１】
キャリッジ３２の各々は、その中にクランプ部材２８及び付勢部材３０を有し、開口構成５７のそれぞれの１つの端部領域５９を介して本体１２に挿入される。キャリッジ３２がそのように挿入されるとき、接続部分材７４は、その開口端７０を介してスロット領域６０に受容される。
【０１２２】
次に、キャップ部材５０は、それぞれの開口構成５７の主開口領域５９に挿入され、それによって端部領域５９を閉鎖し、付勢部材３０のための反作用面を提供する。
【０１２３】
出口開口領域１６と同じ端部に主開口領域５９及びスロット領域６０を設けることは、本明細書に記載の実施形態において、解放部材４２及びクランプ機構２６が本体１２の同じ端部から本体１２に組み付けることができるという利点を提供する。これは、英国特許第２４７１７７３号に開示された装置のような従来技術に関連した上述の問題を解決する。
【０１２４】
したがって、クランプ部材２８を担持するためのキャリッジ３２と、キャリッジ３２を解放位置に移動させることができる解放部材４２とを含むクランプ装置１０が説明される。キャリッジ３２の使用は、クランプ位置又は解放位置へのクランプ部材２８の移動が、キャリッジのないクランプ装置よりも制御可能であることを保証する。
【０１２５】
加えて、解放部材４２は、本体１２のクランプ機構２６と同じ端部においてキャリッジ３２上で動作し、それによって、本体１２を通して解放部材４２を対向する側の端部から移動させる必要性を回避する。これは、解放部材４２の移動が本体１２内の障害物によって妨げられることを回避する。
【０１２６】
スロット領域６０の開口端は、スロット領域６０よりも広い係合部材７２を有する解放部材４２を有するキャリッジ３２の設置を可能にする。
【０１２７】
図７を参照すると、キャリッジ３２のソケット部分３４は、タブの形態の内向きに延在する対向する保持構造７８を備える。保持構造７８は、ソケット部分３４からキャビティ３６内に延在する。
【０１２８】
保持構造７８は、クランプ部材２８がキャビティ３６内に挿入されたときにクランプ部材２８に係合する。クランプ部材２８は、保持構造７８が係合する両側２８Ａを有する。保持構造７８は、クランプ機構２６の組み立て中、クランプ部材２８をキャビティ３６内に保持する。
【０１２９】
したがって、クランプ部材２８がキャリッジ３２内に保持され、解放部材４２がキャリッジ３２から延在するクランプ装置１０が説明される。主開口領域５９及びスロット領域６０を同じ端部に設けることは、クランプ機構２６及び解放部材４２が同じ端部を介して本体１２に組み付けることを可能にする。
【０１３０】
組み立て前にキャリッジ３２内にクランプ部材２８を配置できることは、従来技術の装置と比較して製造上の利点があることを意味する。
【０１３１】
本発明の範囲から逸脱することなく、様々な修正を行うことができる。例えば、付勢部材は、クランプ部材に付勢力を加えることができる別の適切なばねであってもよい。他の変形例では、クランプ部材２８は、キャリッジ３２と一体であってもよい。加えて、解放部材４２は、キャリッジ３２と別個であり、それに取り付けられていてもよい。さらなる変形例では、第１の開口部１６および開口構成５７は、第１の開口部１６と開口構成５７との間に延在する分離部材を有する別個の開口部であってもよい。
【図１】
2021512260.tif 000003
【図２】
2021512260.tif 000004
【図３】
2021512260.tif 000005
【図４】
2021512260.tif 000006
【図５】
2021512260.tif 000007
【図６】
2021512260.tif 000008
【図７】
2021512260.tif 000009
【図８】
2021512260.tif 000010
【図９】
2021512260.tif 000011
【国際調査報告】
2021512260.tif 000012
2021512260.tif 000013
2021512260.tif 000014